(57)【要約】【課題】平面形状となるため収納性に優れ、使用時には立体形状となって落下物から頭部を保護でき、弾性力によって立体形状での形状維持を行えるとともに強度を持たせることができ、可撓性による変形によってシェルが曲面を有することで障害物の受け流し作用を有する簡易保護帽を提供すること。【解決手段】本発明の簡易保護帽は、シェル１０を平面形状とした状態で、シェル１０の中心部には、頭部の頭頂部を保護する所定面積の頭頂保護部１１を形成し、シェル１０には、シェル１０のシェル外周縁１２から頭頂保護部１１の頭頂保護部外縁１１ａに至る複数本の分離部１３を形成し、分離部１３によって、シェル１０には複数の扇片１４が形成され、それぞれの扇片１４におけるシェル外周縁１２の近傍には係合部１５を設け、シェル１０の使用時には、係合部１５によってそれぞれの扇片１４を係合して立体形状とすることを特徴とする。【選択図】        図１
2015071834.tif 000002
【特許請求の範囲】
【請求項１】
落下物や障害物から頭部を保護するシェルが、収納時には平面形状となり、使用時には立体形状となる簡易保護帽であって、
前記シェルが、可撓性によって使用時には曲げることができて前記立体形状となり、前記立体形状では弾性力が加わり前記平面形状に戻る力が作用する硬質材の板材で形成され、
前記シェルを前記平面形状とした状態で、
前記シェルの中心部には、前記頭部の頭頂部を保護する所定面積の頭頂保護部を形成し、
前記シェルには、前記シェルのシェル外周縁から前記頭頂保護部の頭頂保護部外縁に至る複数本の分離部を形成し、
前記分離部によって、前記シェルには複数の扇片が形成され、
それぞれの前記扇片における前記シェル外周縁の近傍には係合部を設け、
前記シェルの使用時には、
前記係合部によってそれぞれの前記扇片を係合して前記立体形状とする
ことを特徴とする簡易保護帽。
【請求項２】
前記扇片を、
前記頭部の前頭部に対応させた前頭部用扇片と、
前記頭部の後頭部に対応させた後頭部用扇片と、
前記頭部の左前側頭部に対応させた左前側頭部用扇片と、
前記頭部の左後側頭部に対応させた左後側頭部用扇片と、
前記頭部の右前側頭部に対応させた右前側頭部用扇片と、
前記頭部の右後側頭部に対応させた右後側頭部用扇片と
で構成し、
前記シェルの使用時には、
前記前頭部用扇片を、前記左前側頭部用扇片及び前記右前側頭部用扇片の外面の一部に重ね合わせることを特徴とする請求項１に記載の簡易保護帽。
【請求項３】
前記シェルの使用時には、
前記左前側頭部用扇片を、前記左後側頭部用扇片の外面の一部に重ね合わせ、
前記右前側頭部用扇片を、前記右後側頭部用扇片の外面の一部に重ね合わせる
ことを特徴とする請求項２に記載の簡易保護帽。
【請求項４】
前記シェルの頭部側面には、衝撃吸収ライナーを備え、
前記衝撃吸収ライナーを前記頭頂保護部において結合材で結合した
ことを特徴とする請求項１から請求項３のいずれかに記載の簡易保護帽。
【請求項５】
前記シェルを透明材料で形成し、
前記衝撃吸収ライナーと前記頭頂保護部との間に表示部材を配置する
ことを特徴とする請求項４に記載の簡易保護帽。
【発明の詳細な説明】
【技術分野】
【０００１】
本発明は、外出先にて災害が発生して帰宅困難となった被災者が、帰宅又は避難所までに最低限必要な装備として頭部を保護する簡易保護帽に関する。
【背景技術】
【０００２】
災害発生対策として、ヘルメットを災害用品として備えることが多くなっているが、置き場所に困る。従って、特に、会社や学校に個人用として保管しているケースは少ない。
そこで、地震や火災の防災対策として用いることができる折り畳み可能なヘルメットが提案されている。
例えば、特許文献１及び特許文献２では、収納時には平面形状となり、使用時には立体形状となる簡易保護帽が提案されている。
【先行技術文献】
【特許文献】
【０００３】
【特許文献１】特開２００９−６２６６４号公報
【特許文献２】特開２０１１−２１２９３号公報
【発明の概要】
【発明が解決しようとする課題】
【０００４】
特許文献１及び特許文献２は、ヒンジを介して複数要素を結合するものであり、それぞれの要素は、組み立て時にも平面状であるため、各要素の強度は、各要素が持つ剛性に依存し、形状維持はヒンジ部で行われる。また、各要素が平面状であるため、障害物を受け流す機能が十分とは言えない。
【０００５】
本発明は、平面形状となるため収納性に優れ、使用時には立体形状となって落下物から頭部を保護でき、弾性力によって立体形状での形状維持を行えるとともに強度を持たせることができ、可撓性による変形によってシェルが曲面を有することで、障害物の受け流し作用を有する簡易保護帽を提供することを目的とする。
【課題を解決するための手段】
【０００６】
請求項１記載の本発明の簡易保護帽は、落下物や障害物から頭部を保護するシェルが、収納時には平面形状となり、使用時には立体形状となる簡易保護帽であって、前記シェルが、可撓性によって使用時には曲げることができて前記立体形状となり、前記立体形状では弾性力が加わり前記平面形状に戻る力が作用する硬質材の板材で形成され、前記シェルを前記平面形状とした状態で、前記シェルの中心部には、前記頭部の頭頂部を保護する所定面積の頭頂保護部を形成し、前記シェルには、前記シェルのシェル外周縁から前記頭頂保護部の頭頂保護部外縁に至る複数本の分離部を形成し、前記分離部によって、前記シェルには複数の扇片が形成され、それぞれの前記扇片における前記シェル外周縁の近傍には係合部を設け、前記シェルの使用時には、前記係合部によってそれぞれの前記扇片を係合して前記立体形状とすることを特徴とする。
請求項２記載の本発明は、請求項１に記載の簡易保護帽において、前記扇片を、前記頭部の前頭部に対応させた前頭部用扇片と、前記頭部の後頭部に対応させた後頭部用扇片と、前記頭部の左前側頭部に対応させた左前側頭部用扇片と、前記頭部の左後側頭部に対応させた左後側頭部用扇片と、前記頭部の右前側頭部に対応させた右前側頭部用扇片と、前記頭部の右後側頭部に対応させた右後側頭部用扇片とで構成し、前記シェルの使用時には、前記前頭部用扇片を、前記左前側頭部用扇片及び前記右前側頭部用扇片の外面の一部に重ね合わせることを特徴とする。
請求項３記載の本発明は、請求項２に記載の簡易保護帽において、前記シェルの使用時には、前記左前側頭部用扇片を、前記左後側頭部用扇片の外面の一部に重ね合わせ、前記右前側頭部用扇片を、前記右後側頭部用扇片の外面の一部に重ね合わせることを特徴とする。
請求項４記載の本発明は、請求項１から請求項３のいずれかに記載の簡易保護帽において、前記シェルの頭部側面には、衝撃吸収ライナーを備え、前記衝撃吸収ライナーを前記頭頂保護部において結合材で結合したことを特徴とする。
請求項５記載の本発明は、請求項４に記載の簡易保護帽において、前記シェルを透明材料で形成し、前記衝撃吸収ライナーと前記頭頂保護部との間に表示部材を配置することを特徴とする。
【発明の効果】
【０００７】
本発明によれば、平面形状となるため収納性に優れ、使用時には立体形状となって落下物から頭部を保護でき、弾性力によって立体形状での形状維持を行えるとともに強度を持たせることができ、可撓性による変形によってシェルが曲面を有することで障害物の受け流し作用を有する。
【図面の簡単な説明】
【０００８】
【図１】本発明の一実施例による簡易保護帽の収納時における外面を示す平面図
【図２】同簡易保護帽の収納時における内面を示す平面図
【図３】同簡易保護帽の使用時における頭部の左前頭部の方向から見た斜視
【図４】同簡易保護帽の使用時における頭部の右前頭部の方向から見た斜視図
【図５】同簡易保護帽の使用時における平面図
【発明を実施するための形態】
【０００９】
本発明の第１の実施の形態による簡易保護帽は、シェルが、可撓性によって使用時には曲げることができて立体形状となり、立体形状では弾性力が加わり平面形状に戻る力が作用する硬質材の板材で形成され、シェルを平面形状とした状態で、シェルの中心部には、頭部の頭頂部を保護する所定面積の頭頂保護部を形成し、シェルには、シェルのシェル外周縁から頭頂保護部の頭頂保護部外縁に至る複数本の分離部を形成し、分離部によって、シェルには複数の扇片が形成され、それぞれの扇片におけるシェル外周縁の近傍には係合部を設け、シェルの使用時には、係合部によってそれぞれの扇片を係合して立体形状とするものである。本実施の形態によれば、平面形状となるため収納性に優れ、使用時には立体形状となって落下物から頭部を保護でき、弾性力によって立体形状での形状維持を行えるとともに強度を持たせることができ、可撓性による変形によってシェルが曲面を有することで障害物の受け流し作用を有する。
【００１０】
本発明の第２の実施の形態は、第１の実施の形態による簡易保護帽において、扇片を、頭部の前頭部に対応させた前頭部用扇片と、頭部の後頭部に対応させた後頭部用扇片と、頭部の左前側頭部に対応させた左前側頭部用扇片と、頭部の左後側頭部に対応させた左後側頭部用扇片と、頭部の右前側頭部に対応させた右前側頭部用扇片と、頭部の右後側頭部に対応させた右後側頭部用扇片とで構成し、シェルの使用時には、前頭部用扇片を、左前側頭部用扇片及び右前側頭部用扇片の外面の一部に重ね合わせるものである。本実施の形態によれば、前頭部用扇片の両側部が外面となることで、前頭部用扇片と左前側頭部用扇片との間、及び前頭部用扇片と右前側頭部用扇片との間で、前方からの障害物が引っかかることなく、前方からの障害物を後方へ導きやすい。
【００１１】
本発明の第３の実施の形態は、第２の実施の形態による簡易保護帽において、シェルの使用時には、左前側頭部用扇片を、左後側頭部用扇片の外面の一部に重ね合わせ、右前側頭部用扇片を、右後側頭部用扇片の外面の一部に重ね合わせるものである。本実施の形態によれば、左前側頭部用扇片の後方側部、及び右後側頭部用扇片の後方側部が外面となることで、左前側頭部用扇片と左後側頭部用扇片との間、及び右前側頭部用扇片と右後側頭部用扇片との間で、前方からの障害物が引っかかることなく、前方からの障害物を後方へ導きやすい。
【００１２】
本発明の第４の実施の形態は、第１から第３の実施の形態による簡易保護帽において、シェルの頭部側面には、衝撃吸収ライナーを備え、衝撃吸収ライナーを頭頂保護部において結合材で結合したものである。本実施の形態によれば、衝撃吸収ライナーによって更に頭部を保護することができる。また、頭頂保護部においてシェルと衝撃吸収ライナーとを結合することで、頭頂保護部でのシェルと衝撃吸収ライナーとの密着性を高めることができる。
【００１３】
本発明の第５の実施の形態は、第４の実施の形態による簡易保護帽において、シェルを透明材料で形成し、衝撃吸収ライナーと頭頂保護部との間に表示部材を配置するものである。本実施の形態によれば、頭頂保護部でのシェルと衝撃吸収ライナーとの密着性が高いため、頭頂保護部に配置する表示部材のずれを防止できる。
【実施例】
【００１４】
以下本発明の実施例について図面とともに詳細に説明する。
図１は本発明の一実施例による簡易保護帽の収納時における外面を示す平面図、図２は同簡易保護帽の収納時における内面を示す平面図である。
【００１５】
図に示すように、簡易保護帽は、落下物や障害物から頭部を保護するシェル１０と、シェル１０の内面となる頭部側面に配置される衝撃吸収ライナー２０とを備えている。
シェル１０は、金属やプラスチック材などの硬質材の板材で形成され、可撓性を有している。従って、可撓性によって使用時には曲げることができるが、曲げた状態では、弾性力が加わり、平面形状に戻る力が作用する。
【００１６】
シェル１０の中心部には、頭部の頭頂部を保護する所定面積の頭頂保護部１１を形成している。図１に示すように、頭頂保護部１１は、平面形状とした状態では仮想破線で示すように、頭頂保護部外縁１１ａは、使用時における側頭部の方向が、前頭部から後頭部の方向よりも長い、楕円形状として形成されている。
シェル１０には、シェル１０のシェル外周縁１２から頭頂保護部外縁１１ａに至る複数本の分離部１３を形成している。
【００１７】
この分離部１３によって、シェル１０には複数の扇片１４を形成している。
扇片１４は、頭部の前頭部に対応させた前頭部用扇片１４Ｆと、頭部の後頭部に対応させた後頭部用扇片１４Ｂと、頭部の左前側頭部に対応させた左前側頭部用扇片１４ＬＦと、頭部の左後側頭部に対応させた左後側頭部用扇片１４ＬＢと、頭部の右前側頭部に対応させた右前側頭部用扇片１４ＲＦと、頭部の右後側頭部に対応させた右後側頭部用扇片１４ＲＢとで構成している。
なお、左前側頭部用扇片１４ＬＦと左後側頭部用扇片１４ＬＢとの間の分離部１３、及び左前側頭部用扇片１４ＬＦと左後側頭部用扇片１４ＬＢとの間の分離部１３を無くして、
左前側頭部用扇片１４ＬＦと左後側頭部用扇片１４ＬＢとを一体とし、左前側頭部用扇片１４ＬＦと左後側頭部用扇片１４ＬＢとを一体としてもよい。また、分離部１３を更に増やしてもよい。
【００１８】
それぞれの扇片１４におけるシェル外周縁１２の近傍には係合部１５を形成している。
前頭部用扇片１４Ｆにおけるシェル外周縁１２の両側近傍には係合部１５ＦＲ、１５ＦＬを形成している。係合部１５ＦＲは頭部の右前頭部に対応させた位置に配置され、係合部１５ＦＬは頭部の左前頭部に対応させた位置に配置される。係合部１５ＦＲ、１５ＦＬは、ともにシェル１０の内面側に凸部を突出させた雄側係合部で構成されている。
後頭部用扇片１４Ｂにおけるシェル外周縁１２の両側近傍には係合部１５ＢＲ、１５ＢＬを形成している。係合部１５ＢＲは頭部の右後頭部に対応させた位置に配置され、係合部１５ＢＬは頭部の左後頭部に対応させた位置に配置される。係合部１５ＢＲ、１５ＢＬは、ともにシェル１０の内面側に凸部を突出させた雄側係合部で構成されている。
【００１９】
左前側頭部用扇片１４ＬＦにおけるシェル外周縁１２の両側近傍には係合部１５ＬＦＦ、１５ＬＦＢを形成している。係合部１５ＬＦＦは頭部の左側頭部の前方に対応させた位置に配置され、係合部１５ＬＦＢは頭部の左側頭部の中央前方に対応させた位置に配置される。係合部１５ＬＦＦは、開口部からなる雌側係合部で構成され、係合部１５ＬＦＢは、シェル１０の内面側に凸部を突出させた雄側係合部で構成されている。
左後側頭部用扇片１４ＬＢにおけるシェル外周縁１２の両側近傍には係合部１５ＬＢＦ、１５ＬＢＢを形成している。係合部１５ＬＢＦは頭部の左側頭部の中央後方に対応させた位置に配置され、係合部１５ＬＢＢは頭部の左側頭部の後方に対応させた位置に配置される。係合部１５ＬＢＦ、１５ＬＢＢは、ともに開口部からなる雌側係合部で構成されている。
【００２０】
右前側頭部用扇片１４ＲＦにおけるシェル外周縁１２の両側近傍には係合部１５ＲＦＦ、１５ＲＦＢを形成している。係合部１５ＲＦＦは頭部の右側頭部の前方に対応させた位置に配置され、係合部１５ＲＦＢは頭部の右側頭部の中央前方に対応させた位置に配置される。係合部１５ＲＦＦは、開口部からなる雌側係合部で構成され、係合部１５ＲＦＢは、シェル１０の内面側に凸部を突出させた雄側係合部で構成されている。
右後側頭部用扇片１４ＲＢにおけるシェル外周縁１２の両側近傍には係合部１５ＲＢＦ、１５ＲＢＢを形成している。係合部１５ＲＢＦは頭部の右側頭部の中央後方に対応させた位置に配置され、係合部１５ＲＢＢは頭部の右側頭部の後方に対応させた位置に配置される。係合部１５ＲＢＦ、１５ＲＢＢは、ともに開口部からなる雌側係合部で構成されている。
【００２１】
衝撃吸収ライナー２０は、頭頂保護部１１において結合材１６Ｌ、１６Ｒで結合している。
結合材１６Ｌは、図１に示すシェル１０の外面側に配置される雄側結合材１６ＬＭと、図２に示すシェル１０の内面側に配置される雌側結合材１６ＬＷとで構成され、雄側結合材１６ＬＭの外周面に形成されるネジ山と雌側結合材１６ＬＷの内周面に形成されるネジ山とによって結合される。また、結合材１６Ｒは、図１に示すシェル１０の外面側に配置される雄側結合材１６ＲＭと、図２に示すシェル１０の内面側に配置される雌側結合材１６ＲＷとで構成され、雄側結合材１６ＲＭの外周面に形成されるネジ山と雌側結合材１６ＲＷの内周面に形成されるネジ山とによって結合される。なお、結合材１６Ｌは、必ずしも、雄側結合材１６ＬＭと雌側結合材１６ＬＷとで構成する必要はなく、結合材１６Ｌが接着剤であってもよい。結合材１６Rも、必ずしも、雄側結合材１６ＲＭと雌側結合材１６ＲＷとで構成する必要はなく、結合材１６Ｒが接着剤であってもよい。
このように、シェル１０の内面には、衝撃吸収ライナー２０を備えることで更に頭部を保護することができる。また、頭頂保護部１１においてシェル１０と衝撃吸収ライナー２０とを結合することで、頭頂保護部１１で、シェル１０に衝撃吸収ライナー２０を押し付けて密着性を高めることができる。
【００２２】
シェル１０は透明材料で形成することが好ましく、衝撃吸収ライナー２０と頭頂保護部１１との間に表示部材３０を配置する。表示部材３０は、紙材や平板状のプラスチックで形成する。
ここで、シェル１０を形成する透明材料は、表示部材３０を視認できればよく、半透明を含む。また、シェル１０全体が透明である必要はなく、少なくとも頭頂保護部１１が透明であればよい。
表示部材３０は、結合材１６Ｌ、１６Ｒの間に配置されることが好ましい。また、表示部材３０に凹部又は孔を備えて、この凹部又は孔に結合材１６Ｌ、１６Ｒを配置することが更に好ましい。このように、表示部材３０に形成した凹部又は孔に結合材１６Ｌ、１６Ｒを配置することで、表示部材３０のずれを更に防止することができる。シェル１０に衝撃吸収ライナー２０を押し付けて密着性を高めているので表示部材３０の視認性が高い。
表示部材３０には、氏名や連絡先、又は非難時における所属や組織を記入することに用いる。
頭頂保護部１１でのシェル１０と衝撃吸収ライナー２０との密着性が高いため、頭頂保護部１１に配置する表示部材３０のずれを防止できる。
後頭部用扇片１４Ｂには、延出部１７を設けている。そしてこの延出部１７には開口部１７ａを形成している。開口部１７ａは、手持ち用としてやフックへのぶら下げ用として用いることができる。
【００２３】
本実施例による簡易保護帽の使用時の組み立て方法について説明する。
まず、シェル１０に衝撃吸収ライナー２０を、結合材１６Ｌ、１６Ｒによって結合する。このとき、シェル１０と衝撃吸収ライナー２０との間に、表示部材３０を配置する。表示部材３０には、あらかじめ氏名や連絡先、又は非難時における所属や組織を記入しておく。
次に、係合部１５によってそれぞれの扇片１４を係合して立体形状とする。
頭部の右前頭部に対応させた位置に配置される係合部１５ＦＲは、頭部の右側頭部の前方に対応させた位置に配置される係合部１５ＲＦＦと係合する。頭部の左前頭部に対応させた位置に配置される係合部１５ＦＬは、頭部の左側頭部の前方に対応させた位置に配置される係合部１５ＬＦＦと係合する。
頭部の右後頭部に対応させた位置に配置される係合部１５ＢＲは、頭部の右側頭部の後方に対応させた位置に配置される係合部１５ＲＢＢと係合する。頭部の左後頭部に対応させた位置に配置される係合部１５ＢＬは、頭部の左側頭部の後方に対応させた位置に配置される係合部１５ＬＢＢと係合する。
頭部の左側頭部の中央後方に対応させた位置に配置される係合部１５ＬＢＦは、頭部の左側頭部の中央前方に対応させた位置に配置される係合部１５ＬＦＢと係合する。
頭部の右側頭部の中央後方に対応させた位置に配置される係合部１５ＲＢＦは、頭部の右側頭部の中央前方に対応させた位置に配置される係合部１５ＲＦＢと係合する。
【００２４】
このようにして組み立てた簡易保護帽を図３から図５に示す。なお、図３から図５では、衝撃吸収ライナー２０及び表示部材３０の図示を省略する。
図３は同簡易保護帽の使用時における頭部の左前頭部の方向から見た斜視図、図４は同簡易保護帽の使用時における頭部の右前頭部の方向から見た斜視図である。
図３に示すように、前頭部用扇片１４Ｆは、左前側頭部用扇片１４ＬＦの外面の一部に重ね合わされる。また、左前側頭部用扇片１４ＬＦは、左後側頭部用扇片１４ＬＢの外面の一部に重ね合わされる。
一方、図４に示すように、前頭部用扇片１４Ｆは、右前側頭部用扇片１４ＲＦの外面の一部に重ね合わされる。また、右前側頭部用扇片１４ＲＦを、右後側頭部用扇片１４ＲＢの外面の一部に重ね合わされる。
このように、前頭部用扇片１４Ｆの両側部が外面となることで、前頭部用扇片１４Ｆと左前側頭部用扇片１４ＬＦとの間、及び前頭部用扇片１４Ｆと右前側頭部用扇片１４ＲＦとの間で、前方からの障害物が引っかかることなく、前方からの障害物を後方へ導きやすい。
また、左前側頭部用扇片１４ＬＦの後方側部、及び右前側頭部用扇片１４ＲＦの後方側部が外面となることで、左前側頭部用扇片１４ＬＦと左後側頭部用扇片１４ＬＢとの間、及び右前側頭部用扇片１４ＲＦと右後側頭部用扇片１４ＲＢとの間で、前方からの障害物が引っかかることなく、前方からの障害物を後方へ導きやすい。
【００２５】
図５は同簡易保護帽の使用時における平面図である。
図５に示すように、後頭部用扇片１４Ｂは、左後側頭部用扇片１４ＬＢの外面の一部に重ね合わされる。また、後頭部用扇片１４Ｂは、右後側頭部用扇片１４ＲＢの外面の一部に重ね合わされる。
このように、後頭部用扇片１４Ｂの両側部が外面となるが、後頭部用扇片１４Ｂと左後側頭部用扇片１４ＬＢとの間は、前頭部用扇片１４Ｆと左前側頭部用扇片１４ＬＦとの間
よりも頭部中心側の位置となるため、前方からの障害物が引っかかることは少ない。また、後方からの飛来物が後頭部用扇片１４Ｂと左後側頭部用扇片１４ＬＢとの間から内部に進入することを防止できる。
【００２６】
なお、本実施例では、係合部１５を、シェル１０の内面側に凸部を突出させた雄側係合部と開口部からなる雌側係合部とで構成したが、面状ファスナーを用いてもよい。面状ファスナーを用いる場合には、前頭部用扇片１４Ｆにおけるシェル外周縁１２の両側近傍に面状ファスナーをそれぞれ設ける他に、シェル外周縁１２の両側近傍に至る単一の面状ファスナーを設けてもよい。
【産業上の利用可能性】
【００２７】
本発明の簡易保護帽は、外出先にて災害が発生して帰宅困難となった被災者が、帰宅又は避難所までに最低限必要な装備として頭部を保護する簡易保護帽として適している。
【符号の説明】
【００２８】
１０  シェル
１１  頭頂保護部
１２  シェル外周縁
１３  分離部
１４  扇片
１４Ｆ  前頭部用扇片
１４Ｂ  後頭部用扇片
１４ＬＦ  左前側頭部用扇片
１４ＬＢ  左後側頭部用扇片
１４ＲＦ  右前側頭部用扇片
１４ＲＢ  右後側頭部用扇片
１５  係合部
１５ＦＬ  係合部
１５ＦＲ  係合部
１５ＲＦＦ  係合部
１５ＲＦＢ  係合部
１５ＲＢＦ  係合部
１５ＲＢＢ  係合部
１５ＲＦＦ  係合部
１５ＲＦＢ  係合部
１５ＲＢＦ  係合部
１５ＲＢＢ  係合部
１６Ｌ  結合材
１６Ｒ  結合材
【図１】
2015071834.tif 000003
【図２】
2015071834.tif 000004
【図３】
2015071834.tif 000005
【図４】
2015071834.tif 000006
【図５】
2015071834.tif 000007